【手続補正書】
【提出日】令和2年11月13日(2020.11.13)
【手続補正１】
【補正対象書類名】特許請求の範囲
【補正対象項目名】全文
【補正方法】変更
【補正の内容】
【特許請求の範囲】
【請求項１】
中空体のゴルフクラブヘッドであって、
フロントエンド、前記フロントエンドの反対側のバックエンド、クラウン、前記クラウンの反対側のソール、ヒール、前記ヒールの反対側のトウ、前記クラウンと前記ソールに隣接するスカート、および穴の中心を通って伸びるホーゼル軸を有するホーゼル構造、を有する本体と、
前記フロントエンドに位置するとともに幾何学的中心を画定する打撃面であって、ロフト平面が前記幾何学的中心に接しており、ヘッド深さ平面が前記ヒールから前記トウに向けて前記幾何学的中心を通るとともに前記ロフト平面に垂直である、打撃面と、
以下の位置の１つまたは複数に配置されたウエイト中心を含む埋め込みウエイトと、
（ａ）前記クラブヘッドの周囲の０．５インチ以内の位置、
（ｂ）前記ヘッド重心から２．２インチよりも大きい位置、又は、
（ｃ）前記打撃面の前記幾何学的中心から４．０インチよりも大きい位置、
０．１８から０．３０インチの間のフロント曲率半径であって、前記フロント曲率半径は前記打撃面の上端からクラウン遷移点まで延びており、クラウン遷移点が前記フロント曲率半径から前記クラウンの異なる曲率への曲率の変化を示している、フロント曲率半径と、
前記クラウンと前記クラブヘッドの前記スカートの間において第１の後部遷移点から第２の後部遷移点までの後部遷移境界に沿って延びており、前記第１の後部遷移点は前記クラウンと前記後部遷移境界の接続部に位置しており、前記第２の後部遷移点は前記後部遷移境界と前記クラブヘッドの前記スカートの接続部に位置している、バック曲率半径と、を備えており、
前記クラブヘッドのロフト角が、１６度未満であり、
前記クラブヘッドのヘッド重心が、前記ロフト平面に垂直な方向において測定された前記ロフト平面からのヘッドＣＧ深さに、および前記ヘッド深さ平面に垂直な方向において測定された前記ヘッド深さ平面からのヘッドＣＧ高さに、位置しており、
前記ヘッドＣＧ深さが、１．７インチよりも大きく、
前記ヘッドＣＧ高さが、０．２０インチ未満であり、
クラウン−ソール慣性モーメントが、３０００ｇ・ｃｍ２よりも大きく、
ヒール−トウ慣性モーメントが、５２５０ｇ・ｃｍ２よりも大きく、
前記打撃面の前記幾何学的中心を通り、前記ホーゼル軸に平行であり、前記ロフト平面から前記ロフト角の位置で伸びている面に垂直な方向に向けて風速１０２ｍｐｈの風を受けたときに、前記クラブヘッドは１．４ｌｂｆ未満の抗力を経験する、ゴルフクラブヘッド。
【請求項２】
前記打撃面の前記幾何学的中心を通り、前記ホーゼル軸に平行であり、前記ロフト平面から前記ロフト角の位置で伸びている面に垂直な方向に向けて風速１０２ｍｐｈの風を受けたときに、前記クラブヘッドは１．１５ｌｂｆ未満の抗力を経験する、請求項１に記載のゴルフクラブヘッド。
【請求項３】
０．０２インチ未満の厚みを有する前記本体上の１つまたは複数の薄い領域をさらに備える、請求項１又は２に記載のゴルフクラブヘッド。
【請求項４】
７９度未満のクラウン角と、
０．５０インチよりも大きい最大クラウン高さと、をさらに備えており、
前記クラウン角は、前面とクラウン軸との間の鋭角として測定され、
前記クラウン軸は、前記クラブヘッドの前記クラウン遷移点と前記後部遷移点を通って延びており、
前記最大クラウン高さは、前記クラウンの表面と前記クラウン軸の間の最大距離として測定される、請求項１〜３のいずれか一項に記載のゴルフクラブヘッド。
【請求項５】
中空体のゴルフクラブヘッドであって、
フロントエンド、前記フロントエンドの反対側のバックエンド、クラウン、前記クラウンの反対側のソール、ヒール、前記ヒールの反対側のトウ、前記クラウンと前記ソールに隣接するスカート、および穴の中心を通って伸びるホーゼル軸を有するホーゼル構造、を有する本体と、
前記フロントエンドに位置するとともに幾何学的中心を画定する打撃面であって、ロフト平面が前記幾何学的中心に接しており、ヘッド深さ平面が前記ヒールから前記トウに向けて前記幾何学的中心を通るとともに前記ロフト平面に垂直である、打撃面と、
以下の位置の１つまたは複数に配置されたウエイト中心を含む埋め込みウエイトと、
（ａ）前記クラブヘッドの周囲の０．５インチ以内の位置、
（ｂ）前記ヘッド重心から２．２インチよりも大きい位置、又は、
（ｃ）前記打撃面の前記幾何学的中心から４．０インチよりも大きい位置、
０．１８から０．３０インチの間のフロント曲率半径であって、前記フロント曲率半径は前記打撃面の上端からクラウン遷移点まで延びており、クラウン遷移点が前記フロント曲率半径から前記クラウンの異なる曲率への曲率の変化を示している、フロント曲率半径と、
前記クラウンと前記クラブヘッドの前記スカートの間において第１の後部遷移点から第２の後部遷移点までの後部遷移境界に沿って延びており、前記第１の後部遷移点は前記クラウンと前記後部遷移境界の接続部に位置しており、前記第２の後部遷移点は前記後部遷移境界と前記クラブヘッドの前記スカートの接続部に位置している、バック曲率半径と、を備えており、
前記クラブヘッドのロフト角が、１６度未満であり、
前記クラブヘッドのヘッド重心が、前記ロフト平面に垂直な方向において測定された前記ロフト平面からのヘッドＣＧ深さに、および前記ヘッド深さ平面に垂直な方向において測定された前記ヘッド深さ平面からのヘッドＣＧ高さに、位置しており、
前記ヘッドＣＧ深さが、１．７インチよりも大きく、
前記打撃面の前記幾何学的中心を通り、前記ホーゼル軸に平行であり、前記ロフト平面から前記ロフト角の位置で伸びている面に垂直な方向に向けて風速１０２ｍｐｈの風を受けたときに、前記クラブヘッドは抗力ＦＤを経験し、
前記クラブヘッドは、クラウン−ソール慣性モーメントＩｘｘ、ヒール−トウ慣性モーメントＩｙｙ、およびクラウン−ソール慣性モーメントとヒール−トウ慣性モーメントの合計として測定される合成慣性モーメントＩｘｘ＋Ｉｙｙを有しており、
ヒール−トウ慣性モーメントが、５２５０ｇ・ｃｍ２よりも大きく、
前記クラブヘッドは、関係Ａを満たすとともに、関係Ｂと関係Ｃのうちの１つまたは複数を満たす、ゴルフクラブヘッド。
関係Ａ  ：  （ＦＤ＋２．７）／（０．０００５（Ｉｘｘ＋Ｉｙｙ））＜１
関係Ｂ  ：  ＦＤ＜１．１５ｌｂｆ
関係Ｃ  ：  Ｉｘｘ＋Ｉｙｙ＞９０００ｇ・ｃｍ２
【請求項６】
前記クラブヘッドが関係Ｄをさらに満たす、請求項５に記載のゴルフクラブヘッド。
関係Ｄ  ：  （ＦＤ＋３．８）／（０．０００５（Ｉｘｘ＋Ｉｙｙ））＜１
【請求項７】
前記ヘッドＣＧ深さが、１．８インチよりも大きい、請求項５又は６に記載のゴルフクラブヘッド。
【請求項８】
０．０２インチ未満の厚みを有する前記本体上の１つまたは複数の薄い領域をさらに備える、請求項５〜７のいずれか一項に記載のゴルフクラブヘッド。
【請求項９】
７９度未満のクラウン角と、
０．５０インチよりも大きい最大クラウン高さと、をさらに備えており、
前記クラウン角は、前面とクラウン軸との間の鋭角として測定され、
前記クラウン軸は、前記クラブヘッドの前記クラウン遷移点と前記後部遷移点を通って延びており、
前記最大クラウン高さは、前記クラウンの表面と前記クラウン軸の間の最大距離として測定される、請求項５〜８のいずれか一項に記載のゴルフクラブヘッド。
【請求項１０】
中空体のゴルフクラブヘッドであって、
フロントエンド、前記フロントエンドの反対側のバックエンド、クラウン、前記クラウンの反対側のソール、ヒール、前記ヒールの反対側のトウ、前記クラウンと前記ソールに隣接するスカート、および穴の中心を通って伸びるホーゼル軸を有するホーゼル構造、を有する本体と、
前記フロントエンドに位置するとともに幾何学的中心を画定する打撃面であって、ロフト平面が前記幾何学的中心に接しており、ヘッド深さ平面が前記ヒールから前記トウに向けて前記幾何学的中心を通るとともに前記ロフト平面に垂直である、打撃面と、
以下の位置の１つまたは複数に配置されたウエイト中心を含む埋め込みウエイトと、
（ａ）前記クラブヘッドの周囲の０．５インチ以内の位置、
（ｂ）前記ヘッド重心から２．２インチよりも大きい位置、又は、
（ｃ）前記打撃面の前記幾何学的中心から４．０インチよりも大きい位置、
０．１８から０．３０インチの間のフロント曲率半径であって、前記フロント曲率半径は前記打撃面の上端からクラウン遷移点まで延びており、クラウン遷移点が前記フロント曲率半径から前記クラウンの異なる曲率への曲率の変化を示している、フロント曲率半径と、
前記クラウンと前記クラブヘッドの前記スカートの間において第１の後部遷移点から第２の後部遷移点までの後部遷移境界に沿って延びており、前記第１の後部遷移点は前記クラウンと前記後部遷移境界の接続部に位置しており、前記第２の後部遷移点は前記後部遷移境界と前記クラブヘッドの前記スカートの接続部に位置している、バック曲率半径と、を備えており、
前記クラブヘッドのロフト角が、１６度未満であり、
前記クラブヘッドのヘッド重心が、前記ロフト平面に垂直な方向において測定された前記ロフト平面からのヘッドＣＧ深さに、および前記ヘッド深さ平面に垂直な方向において測定された前記ヘッド深さ平面からのヘッドＣＧ高さに、位置しており、
前記ヘッドＣＧ深さが、１．７インチよりも大きく、
前記打撃面の前記幾何学的中心を通り、前記ホーゼル軸に平行であり、前記ロフト平面から前記ロフト角の位置で伸びている面に垂直な方向に向けて風速１０２ｍｐｈの風を受けたときに、前記クラブヘッドは抗力ＦＤを経験し、
前記クラブヘッドは、クラウン−ソール慣性モーメントＩｘｘ、ヒール−トウ慣性モーメントＩｙｙ、およびクラウン−ソール慣性モーメントとヒール−トウ慣性モーメントの合計として測定される合成慣性モーメントＩｘｘ＋Ｉｙｙを有しており、
ヒール−トウ慣性モーメントが、５２５０ｇ・ｃｍ２よりも大きく、
前記クラブヘッドは、関係Ａを満たす、ゴルフクラブヘッド。
関係Ａ  ：  （ＦＤ＋１．９）／（２．１（ヘッドＣＧ深さ））＜１
【請求項１１】
前記クラブヘッドが関係Ｄをさらに満たす、請求項１０に記載のゴルフクラブヘッド。
関係Ｄ  ：  （ＦＤ＋２．８）／（２．１（ヘッドＣＧ深さ））＜１
【請求項１２】
前記合成関係モーメントが、９０００ｇ・ｃｍ２よりも大きい、請求項１０又は１１に記載のゴルフクラブヘッド。
【請求項１３】
０．０２インチ未満の厚みを有する前記本体上の１つまたは複数の薄い領域をさらに備える、請求項１０〜１２のいずれか一項に記載のゴルフクラブヘッド。
【請求項１４】
７９度未満のクラウン角と、
０．５０インチよりも大きい最大クラウン高さと、をさらに備えており、
前記クラウン角は、前面とクラウン軸との間の鋭角として測定され、
前記クラウン軸は、前記クラブヘッドの前記クラウン遷移点と前記後部遷移点を通って延びており、
前記最大クラウン高さは、前記クラウンの表面と前記クラウン軸の間の最大距離として測定される、請求項１０〜１３のいずれか一項に記載のゴルフクラブヘッド。